(57)【要約】【課題】  粘着剤を介して剥離可能、かつ剥離後の再貼着が不可能に貼着された２つの基材のうち一方の基材を貼付面として被着体に貼付した後、他方の基材を剥離した際、剥離した基材がカールすることを防止する。【解決手段】  中間シート２０と、貼付票１及び配達票２が分離可能に構成された表面シート１０とが粘着剤４０ａを介して剥離可能、かつ剥離後の再貼着が不可能に貼着された積層シートにおいて、表面シート１０は、中間シート２０から剥離された場合に中間シート２０との貼着面に粘着剤４０ａが残存しないように中間シート２０に貼着されている。【選択図】図１
2007083654.tif 000002
【特許請求の範囲】
【請求項１】
被着体に貼付可能な第１の基材と、前記第１の基材に粘着剤を介して剥離可能、かつ剥離後の再貼着が不可能に貼着された第２の基材とを有してなる積層シートにおいて、
前記第２の基材は、前記第１の基材から剥離された場合に前記第１の基材との貼着面に前記粘着剤が残存しないように前記第１の基材に貼着されていることを特徴とする積層シート。
【発明の詳細な説明】
【技術分野】
【０００１】
本発明は、２枚の基材が粘着剤を介して剥離可能、かつ剥離後の再貼着が不可能に貼着された積層シートに関し、特に、その貼着構造に関する。
【背景技術】
【０００２】
従来より、宅配便を利用して荷物を配送する場合、荷物の配送先や配送元の住所や氏名等の配送情報が記入された配送伝票が荷物に貼付され、配送元から配送先に配送されることになる。このような荷物の配送に用いられる配送伝票としては、荷物が配送先に届けられた後に荷物に貼付されたままとなる貼付票と、荷物の配送先にて受領印が押下されて回収される配達票とが分離可能に一体化されたものが用いられている。例えば、貼付票と配達票とが重ね合わされ、その端部のみにて互いに貼着されたものや、貼付票と配達票とがその一部にて重ね合わされて貼着されたもの等が用いられる。
【０００３】
近年、配送伝票に対して配送情報を記入するのではなく、プリンタを用いて配送情報を印字することが行われている。特に、１つの配送元から複数の配送先に荷物を配送する場合においては、従来より、多くの企業や組織団体等において、プリンタを用いた配送伝票への配送情報の印字が行われている。また、配送業者において、プリンタを用いた配送伝票への配送情報の印字を配送元に代わって行う場合もある。
【０００４】
このようにプリンタを用いて配送伝票に配送情報を印字する場合、上述したような、貼付票と配達票とが重ね合わされ、その端部のみにて互いに貼着されたり、貼付票と配達票とがその一部にて重ね合わされて貼着されたりした構成の配送伝票においては、配送情報の印字時にプリンタ内にてジャムが生じてしまう場合がある。
【０００５】
そこで、貼付票と配達票とを分離可能に１枚の基材から構成し、かつ、荷物に貼付された状態から配達票のみを剥離可能とした配送伝票が特許文献１に開示されている。
【０００６】
図７は、従来の配送伝票の一構成例を示す図であり、（ａ）は表面から見た図、（ｂ）は（ａ）に示したＡ−Ａ’断面図である。
【０００７】
本構成例は図７に示すように、貼付票２０１と配達票２０２とがミシン目２０３を介して分離可能に連接した表面シート２１０と中間シート２２０とが粘着剤２４０ａを介して貼着され、また、中間シート２２０の表面シート２１０とは反対側には粘着剤２４０ｂを介して剥離紙２３０が剥離可能に貼着されて構成されている。
【０００８】
貼付票２０１には、この配送伝票が貼付される配送物の配送先や配送元の住所や氏名等の配送情報が印字あるいは記入される配送情報表示領域２０１ａが設けられ、また、配達票２０２には、この配送伝票が貼付される配送物の配送先や配送元の住所や氏名等の配送情報が印字あるいは記入される配送情報表示領域２０２ａと、配送物の配送先にて受領印が押下される押印領域２０２ｂとが設けられている。表面シート２１０上にこれら配送情報表示領域２０１ａ，２０２ａ及び押印領域２０２ｂが印刷されることにより、表面シート２１０上に印刷層２１１が形成されている。
【０００９】
中間シート２２０上には、表面シート２１０の配達票２０２に対向する領域に印刷層２２１が形成され、さらにこの印刷層２２１上に剥離層２２２が積層されている。
【００１０】
上記のように構成された配送伝票は、貼付票２０１と配達票２０２とがミシン目２０３を介して分離可能に１枚の表面シート２１０から構成されているので、プリンタを用いて配送情報表示領域２０１ａ，２０１ｂに配送情報を印字する場合に、プリンタ内にてジャムが生じてしまう虞れがない。
【００１１】
以下に、上述した配送伝票の使用方法について説明する。
【００１２】
図８は、図７に示した配送伝票の使用方法を説明するための図であり、（ａ）は配送伝票が配送物に貼付された状態を示す図、（ｂ）は配達票２０２が分離される状態を示す図である。
【００１３】
図７に示した配送伝票は、配送情報表示領域２０１ａ，２０２ａに配送情報が印字された後、剥離紙２３０が剥離され、粘着剤２４０ｂによって配送物２５０に貼付される（図８（ａ））。
【００１４】
配送伝票が貼付された配送物２５０が配送先に届けられ、配送物２５０の配送先において、配達票２０２に設けられた押印領域２０２ｂに受領印が押下された後、配達票２０２が配送物２５０から離れる方向に引っ張られると、ミシン目２０３のタイ部が破断して配達票２０２が貼付票２０２から分離するとともに、中間シート２２０に積層された剥離層２２２によって配達票２０２が中間シート２２０から剥離する（図８（ｂ））。
【００１５】
このようにして、配送物２５０に貼付された配送伝票から配達票２０２のみが分離され、回収されることになる。
【特許文献１】特許第３５２９８１８号公報
【発明の開示】
【発明が解決しようとする課題】
【００１６】
しかしながら、上述したような配送伝票においては、配送物に貼付された状態から配達票を分離すると、分離した配達票の裏面に粘着剤が付着しているため、配達票がカールしやすくなり、その後、配達票に印字された配送情報を読み取る等といった作業を行うために配達票が機械処理にかけられた場合にジャム等が生じてしまう虞れがある。
【００１７】
本発明は、上述したような従来の技術が有する問題点に鑑みてなされたものであって、粘着剤を介して剥離可能、かつ剥離後の再貼着が不可能に貼着された２つの基材のうち一方の基材を貼付面として被着体に貼付した後、他方の基材を剥離した際、剥離した基材がカールすることを防止できる積層シートを提供することを目的とする。
【課題を解決するための手段】
【００１８】
上記目的を達成するために本発明は、
被着体に貼付可能な第１の基材と、前記第１の基材に粘着剤を介して剥離可能、かつ剥離後の再貼着が不可能に貼着された第２の基材とを有してなる積層シートにおいて、
前記第２の基材は、前記第１の基材から剥離された場合に前記第１の基材との貼着面に前記粘着剤が残存しないように前記第１の基材に貼着されていることを特徴とする。
【００１９】
上記のように構成された本発明においては、第１の基材を被着体に貼付した後に第２の基材を第１の基材から剥離すると、第１の基材から剥離された第２の基材には粘着剤が残存していないため、第１の基材から剥離された第２の基材がカールすることがなく、その後、第２の基材を機械処理等にかける際にジャムが生じたりすることがなくなる。また、第１の基材から剥離された第２の基材の第１の基材との貼着面に印字性を持たせることができる。
【００２０】
上述した構成とするために、例えば、前記第１の基材に前記粘着剤を塗布してから、該粘着剤の貼着力が低下する時間が経過した後に、前記第２の基材を前記粘着剤によって前記第１の基材に貼着することが考えられる。
【００２１】
また、前記第２の基材が、剥離調整層を介して前記粘着剤に対向して前記第１の基材に貼着されている構成とすることもえられる。
【発明の効果】
【００２２】
以上説明したように本発明においては、被着体に貼付可能な第１の基材に粘着剤を介して剥離可能、かつ剥離後の再貼着が不可能に貼着された第２の基材が、第１の基材から剥離された場合に第１の基材との貼着面に粘着剤が残存しないように第１の基材に貼着されている構成としたため、第１の基材を被着体に貼付した後に第２の基材を第１の基材から剥離した場合、第１の基材から剥離された第２の基材には粘着剤が残存せず、それにより、第１の基材から剥離された第２の基材がカールすることがなく、その後、第２の基材を機械処理等にかける際にジャムが生じたりすることを防止することができる。また、第１の基材から剥離された第２の基材の第１の基材との貼着面に印字性を持たせることができる。
【発明を実施するための最良の形態】
【００２３】
以下に、本発明の実施の形態について図面を参照して説明する。
【００２４】
（第１の実施の形態）
図１は、本発明の積層シートの第１の実施の形態となる配送伝票の構成を示す図であり、（ａ）は表面から見た図、（ｂ）は（ａ）に示したＡ−Ａ’断面図である。
【００２５】
本形態の配送伝票は図１に示すように、貼付票１と配達票２とがスリット３を介して分離可能に連接した第２の基材である表面シート１０と第１の基材である中間シート２０とが、非感圧性エマルジョンタイプの粘着剤４０ａを介して貼着され、また、中間シート２０の表面シート１０とは反対側には粘着剤４０ｂを介して剥離紙３０が剥離可能に貼着されて構成されている。
【００２６】
貼付票１には、この配送伝票が貼付される配送物の配送先や配送元の住所や氏名等の配送情報が印字あるいは記入される配送情報表示領域１ａが設けられ、また、配達票２には、この配送伝票が貼付される配送物の配送先や配送元の住所や氏名等の配送情報が印字あるいは記入される配送情報表示領域２ａと、配送物の配送先にて受領印が押下される押印領域２ｂとが設けられている。表面シート１０上にこれら配送情報表示領域１ａ，２ａ及び押印領域２ｂが印刷されることにより、表面シート１０上に印刷層１１が形成されている。
【００２７】
剥離紙３０は、剥離基材の一方の面にニス等が塗布され、このニス等が塗布された面が粘着剤４０ｂを介して中間シート２０と貼着されることにより、中間シート２０と剥離紙３０とが剥離可能に貼着されることになる。そして、剥離紙３０が剥離されることにより、中間シート２０は被着体に貼付可能となる。
【００２８】
以下に、上記のように構成された配送伝票の製造方法について説明する。
【００２９】
図２は、図１に示した配送伝票の製造方法を説明するための図である。
【００３０】
まず、一方の面に粘着剤４０ｂを介して剥離紙３０が剥離可能に貼着された中間シート２０の粘着剤４０ｂとは反対側の面の全面に、粘着剤４０ａを塗布する（図２（ａ））。
【００３１】
ここで、粘着剤４０ａについて詳細に説明する。
【００３２】
粘着剤４０ａは、上述したように非感圧性エマルジョンタイプの粘着剤であって、低圧力、例えば０．５〜１０Ｍｐａ以下の圧力でシート同士を接着可能なエマルジョン粘着剤である。エマルジョン粘着剤は、液中にこの液と交じり合わない樹脂が微粒子となって分散している粘着剤である。非感圧性エマルジョン粘着剤は、塗工方法の利便性や取り扱いの安全性の観点から、水性であることが好ましい。すなわち分散媒が水であるか、水を主成分とすることが好ましい。水性エマルジョン粘着剤を用いた場合、塗布時には水分が有るが、塗布後、水分が蒸発し、粘着剤の微粒子が残留する。
【００３３】
例えばアクリル系、ウレタン系、アクリル／ウレタン系の水性エマルジョン粘着剤を使用することができ、乾燥時の耐熱性の観点から水性アクリル系エマルジョン粘着剤が好ましい。
【００３４】
水性アクリル系エマルジョン粘着剤は、アクリル酸エステルを主成分として水性媒体中で乳化重合してなる、分散粒子径３μｍ以下のアクリル樹脂の乳化水分散体、また、塗工方法の観点から好ましくは０．１〜１．０μｍ、より好ましくは０．２〜０．７μｍとする。
【００３５】
エマルジョン形成のために微粒子を分散させる分散剤としては、アニオン性界面活性剤とノニオン型（非イオン）界面活性剤を併用させるのが好ましい。アニオン性界面活性剤としてはポリオキシエチレンアルキルエーテルカルボン酸ナトリウム、アルキルベンゼンスルホン酸ナトリウム、スルホコハク酸アルキルニナトリウム、α−オレフィンスルホン酸ナトリウム、ポリオキシエチレンアルキルフェニルエーテル硫酸ナトリウム、ポリオキシエチレンアルキルエーテルリン酸ナトリウム、ポリオキシエチレンアルキルフェニルエーテルリン酸ナトリウムが挙げられる。ノニオン型界面活性剤としては、ポリオキシエチレンアルキルエーテル、ポリオキシエチレンアルキルフェニルエーテル、ポリオキシエチレンステロールエーテル、ポリオキシエチレンポリオキシプロピレンアルキルエーテル、ポリオキシエチレングリセリン脂肪酸エステル、ポリオキシエチレンソルビタン脂肪酸エステル、ポリオキシエチレンソルビトール脂肪酸エステル、ポリエチレングリコール脂肪酸エステル、ポリグリセリン脂肪酸エステルが挙げられる。
【００３６】
次に、表面に配送情報表示領域１ａ，２ａ及び押印領域２ｂが印刷されることにより印刷層１１が形成された表面シート１０を、粘着剤４０ａを介して中間シート２０に貼着する（図２（ｂ））。その際、中間シート２０に粘着剤４０ａを塗布してから、所定時間経過し、粘着剤４０ａの水分の一部が揮発することにより貼着力が低下した後に表面シート１０を貼着する。これにより、粘着剤４０ａの表面シート１０に対する粘着力と中間シート２０に対する粘着力とを異ならせ、後に表面シート１０と中間シート２０とを剥離した際、粘着剤４０ａを全て中間シート２０に残存させ、表面シート１０に残存させないようにする。また、粘着剤４０ａが非感圧性エマルジョンタイプの粘着剤であるため、いわゆる加圧接着をせずに中間シート２０と表面シート１０とを容易に貼り合わせることができる。
【００３７】
その後、表面シート１０にスリット３を形成し、貼付票１と配達票２とを分離可能とし、図１に示した配送伝票を完成させる（図２（ｃ））。
【００３８】
以下に、上述した配送伝票の使用方法について説明する。
【００３９】
図３は、図１に示した配送伝票の使用方法を説明するための図であり、（ａ）は配送伝票が配送物に貼付された状態を示す図、（ｂ）は配達票２が分離される状態を示す図である。
【００４０】
図１に示した配送伝票は、配送情報表示領域１ａ，２ａに配送情報が印字された後、剥離紙３０が剥離され、粘着剤４０ｂによって配送物５０に貼付される（図３（ａ））。
【００４１】
配送伝票が貼付された配送物５０が配送先に届けられ、配送物５０の配送先において、配達票２に設けられた押印領域２ｂに受領印が押下された後、配達票２が配送物５０から離れる方向に引っ張られると、スリット３によって配達票２が貼付票２から分離するとともに、配達票２が中間シート２０から剥離する（図３（ｂ））。ここで、表面シート１０と中間シート２０とを貼着している粘着剤４０ａはエマルジョンタイプの粘着剤であるため、表面シート１０と中間シート２０とを貼着した後に配達票２を中間シート２０から剥離することができる。また、中間シート２０に粘着剤４０ａを塗布してから、所定時間経過し、粘着剤４０ａの水分が一部揮発することにより貼着力が低下した後に表面シート１０を貼着しているため、中間シート２０から配達票２を剥離すると、中間シート２０と配達票２とを貼着している粘着剤４０ａは全て中間シート２０に残存し、配達票２には残存しない。また、剥離された中間シート２０と配達票２とは再貼着が不可能となる。
【００４２】
このようにして配送物５０に貼付された配送伝票から分離された配達票２は回収されることになるが、配達票２の中間シート２０との貼着面には粘着剤４０ａが残存していないため、カールが生じることがなく、配送情報表示領域２ａに印字された配送情報を読み取る等といった作業を行うために機械処理にかけられた場合にジャムが生じたりすることがなくなる。また、配達票２の裏面には粘着性がなく印字性を確保することができ、所望の情報を印字あるいは記入することができる。
【００４３】
（第２の実施の形態）
図４は、本発明の積層シートの第２の実施の形態となる配送伝票の構成を示す図であり、（ａ）は表面から見た図、（ｂ）は（ａ）に示したＡ−Ａ’断面図である。
【００４４】
本形態の配送伝票は図４に示すように、貼付票１０１と配達票１０２とがスリット１０３を介して分離可能に連接した第２の基材である表面シート１１０と第１の基材である中間シート１２０とが、非感圧性エマルジョンタイプの粘着剤１４０ａを介して貼着され、また、中間シート１２０の表面シート１１０とは反対側には粘着剤１４０ｂを介して剥離紙１３０が剥離可能に貼着されて構成されている。
【００４５】
貼付票１０１には、この配送伝票が貼付される配送物の配送先や配送元の住所や氏名等の配送情報が印字あるいは記入される配送情報表示領域１０１ａが設けられ、また、配達票１０２には、この配送伝票が貼付される配送物の配送先や配送元の住所や氏名等の配送情報が印字あるいは記入される配送情報表示領域１０２ａと、配送物の配送先にて受領印が押下される押印領域１０２ｂとが設けられている。表面シート１１０上にこれら配送情報表示領域１０１ａ，１０２ａ及び押印領域１０２ｂが印刷されることにより、表面シート１１０上に印刷層１１１が形成されている。また、表面シート１１０の粘着剤１４０ａを介しての中間シート１２０との貼着面のうち配達票１０２となる領域には剥離調整層となる剥離剤１１２が塗布されている。
【００４６】
中間シート１２０上には、表面シート１１０の配達票１０２に対向する領域に広告情報１２２が印刷されることにより印刷層１２１が形成されている。
【００４７】
剥離紙１３０は、剥離基材の一方の面にニス等が塗布され、このニス等が塗布された面が粘着剤１４０ｂを介して中間シート１２０と貼着されることにより、中間シート１２０と剥離紙１３０とが剥離可能に貼着されることになる。そして、剥離紙１３０が剥離されることにより、中間シート１２０は被着体に貼付可能となる。
【００４８】
以下に、上記のように構成された配送伝票の製造方法について説明する。
【００４９】
図５は、図４に示した配送伝票の製造方法を説明するための図である。
【００５０】
まず、一方の面に粘着剤１４０ｂを介して剥離紙１３０が剥離可能に貼着された中間シート１２０の粘着剤１４０ｂとは反対側の面の、表面シート１１０の配達票１０２に対向する領域に広告情報１２２を印刷することにより印刷層１２１を形成する（図５（ａ））。
【００５１】
次に、中間シート１２０の印刷層１２１が形成された面の全面に、粘着剤１４０ａを塗布する（図５（ｂ））。ここで、粘着剤１４０ａとして、第１の実施の形態にて説明した非感圧性エマルジョンタイプの粘着剤を用いることにより、印刷層１２１を構成するインキと粘着剤１４０ａとの相性が良好となり、中間シート１２０の表面シート１１０との貼着面の全面に印刷層１２１を形成することも可能となる。この際、印刷層１２１を構成するインキとしてＵＶインキを使用し、ＵＶ乾燥後、粘着剤１４０ａを塗布することになる。また、この時の印刷機走行速度は、１５０〜３５０ｆｔ／ｍｉｎが好ましい。
【００５２】
次に、表面に配送情報表示領域１０１ａ，１０２ａ及び押印領域１０２ｂが印刷されることにより印刷層１１１が形成され、配達票１０２となる領域の裏面に剥離剤１１２が塗布された表面シート１１０を、粘着剤１４０ａを介して中間シート１２０に貼着する（図５（ｃ））。この際、粘着剤１４０ａが非感圧性エマルジョンタイプの粘着剤であるため、いわゆる加圧接着をせずに中間シート１２０と表面シート１１０とを容易に貼り合わせることができる。また、表面シート１１０と中間シート１２０とを貼着後に配達票１０２を中間シート１２０から剥離した際に、粘着剤１４０ａと剥離剤１１２との間で再貼着不可能に剥離するために、粘着剤１４０ａと剥離剤１１２の厚さを調整する必要があるが、剥離剤１１２が０．１〜２０μｍ、粘着剤１４０ａが１〜３０μｍの厚さであることが好ましい。
【００５３】
その後、表面シート１１０にスリット１０３を形成し、貼付票１０１と配達票１０２とを分離可能とし、図４に示した配送伝票を完成させる（図５（ｄ））。
【００５４】
以下に、上述した配送伝票の使用方法について説明する。
【００５５】
図６は、図４に示した配送伝票の使用方法を説明するための図であり、（ａ）は配送伝票が配送物に貼付された状態を示す図、（ｂ）は配達票１０２が分離される状態を示す図である。
【００５６】
図４に示した配送伝票は、配送情報表示領域１０１ａ，１０１ｂに配送情報が印字された後、剥離紙１３０が剥離され、粘着剤１４０ｂによって配送物１５０に貼付される（図６（ａ））。
【００５７】
配送伝票が貼付された配送物１５０が配送先に届けられ、配送物１５０の配送先において、配達票１０２に設けられた押印領域１０２ｂに受領印が押下された後、配達票１０２が配送物１５０から離れる方向に引っ張られると、スリット１０３によって配達票１０２が貼付票１０２から分離するとともに、配達票１０２が中間シート１２０から剥離する（図６（ｂ））。ここで、表面シート１１０の配達票１０２となる領域の中間シート１２０との貼着面には剥離剤１１２が塗布されているため、表面シート１１０と中間シート１２０とを粘着剤１４０ａによって貼着した後に配達票１２を中間シート１２０から剥離することができる。また、その際、中間シート１２０から配達票１０２を剥離すると、粘着剤１４０ａと剥離剤１１２との界面で剥離し、中間シート１２０と配達票１０２とを貼着している粘着剤１４０ａは全て中間シート１２０に残存し、配達票１０２には残存しない。また、剥離された中間シート１２０と配達票１０２とは再貼着が不可能となる。
【００５８】
このようにして配送物１５０に貼付された配送伝票から分離された配達票１０２は回収されることになるが、中間シート１２０との貼着面には粘着剤１４０ａが残存していないため、カールが生じることがなく、配送情報表示領域１０２ａに印字された配送情報を読み取る等といった作業を行うために機械処理にかけられた場合にジャムが生じたりすることがなくなる。また、配達票１０２の裏面には粘着性がなく印字性を確保することができ、所望の情報を印字あるいは記入することができる。
【００５９】
なお、上述した２つの実施の形態にて示した表面シート１０，１１０としては、ノンインパクトプリンタにて印字が可能なノンインパクト紙や、サーマルプリンタにて印字が可能なサーマル紙等を用いることが考えられ、これら表面シート１０，１１０の材質に応じたプリンタによって、配送情報表示領域１ａ，２ａ，１０１ａ，１０２ａに配送情報が印字されることになる。
【００６０】
また、上述した第１の実施の形態においては、中間シート２０に粘着剤４０ａを塗布してから、所定時間経過し、粘着剤４０ａの水分が一部揮発することにより貼着力が低下した後に表面シート１０を貼着することで、中間シート２０から配達票２を剥離した場合に、中間シート２０と配達票２とを貼着している粘着剤４０ａが全て中間シート２０に残存して配達票２には残存しない構成とし、また、第２の実施の形態においては、表面シート１１０の配達票１０２となる領域の中間シート１２０との貼着面に剥離剤１１２を塗布することで、中間シート１２０から配達票１０２を剥離した場合に、中間シート１２０と配達票１０２とを貼着している粘着剤１４０ａが全て中間シート１２０に残存して配達票１０２には残存しない構成としたが、例えば、表面シート１０，１１０にコート紙を用い、中間シート２０，１２０に普通紙を用いる等、表面シート１０，１１０及び中間シート２０，１２０の材料を適宜選択することによって、中間シート２０，１２０から配達票２，１０２を剥離した場合に、中間シート２０，１２０と配達票２，１０２とを貼着している粘着剤４０ａ，１４０ａが全て中間シート２０，１２０に残存して配達票２，１０２には残存しない構成とすることもできる。
【００６１】
また、上述した２つの実施の形態においては、積層シートとして配送伝票を例に挙げて説明したが、本発明は、２つの基材が粘着剤を介して剥離可能、かつ剥離後の再貼着が不可能に貼着されたものであれば適用することができる。
【図面の簡単な説明】
【００６２】
【図１】本発明の積層シートの第１の実施の形態となる配送伝票の構成を示す図であり、（ａ）は表面から見た図、（ｂ）は（ａ）に示したＡ−Ａ’断面図である。
【図２】図１に示した配送伝票の製造方法を説明するための図である。
【図３】図１に示した配送伝票の使用方法を説明するための図であり、（ａ）は配送伝票が配送物に貼付された状態を示す図、（ｂ）は配達票が分離される状態を示す図である。
【図４】本発明の積層シートの第２の実施の形態となる配送伝票の構成を示す図であり、（ａ）は表面から見た図、（ｂ）は（ａ）に示したＡ−Ａ’断面図である。
【図５】図４に示した配送伝票の製造方法を説明するための図である。
【図６】図４に示した配送伝票の使用方法を説明するための図であり、（ａ）は配送伝票が配送物に貼付された状態を示す図、（ｂ）は配達票が分離される状態を示す図である。
【図７】従来の配送伝票の一構成例を示す図であり、（ａ）は表面から見た図、（ｂ）は（ａ）に示したＡ−Ａ’断面図である。
【図８】図７に示した配送伝票の使用方法を説明するための図であり、（ａ）は配送伝票が配送物に貼付された状態を示す図、（ｂ）は配達票が分離される状態を示す図である。
【符号の説明】
【００６３】
１，１０１    貼付票
１ａ，２ａ，１０１ａ，１０２ａ    配送情報表示領域
２，１０２    配達票
２ｂ，１０２ｂ    押印領域
３，１０３    スリット
１０，１１０    表面シート
１１，１１１，１２１    印刷層
２０，１２０    中間シート
３０，１３０    剥離紙
４０ａ，４０ｂ    粘着剤
５０，１５０    配送物
１１２    剥離剤
１２２    広告情報
【図１】
2007083654.tif 000003
【図２】
2007083654.tif 000004
【図３】
2007083654.tif 000005
【図４】
2007083654.tif 000006
【図５】
2007083654.tif 000007
【図６】
2007083654.tif 000008
【図７】
2007083654.tif 000009
【図８】
2007083654.tif 000010